(57)【要約】【課題】資源材料のリサイクルについての可否を確実に判定できる判定システム、および、コンピュータをそのような判定システムとして動作させる判定プログラムを提供する。【解決手段】リサイクル判定システム４００が、金属資源売却益算出部４２０と、コスト算出部４３０と、判定部４５０とを備えた。金属資源売却益算出部４２０は、価格決定システムからリサイクル対象の資源材料の単価を入手し、その資源材料が売却されたときの売却益を算出するものである。コスト算出部４３０は、その資源材料をリサイクルによって得るのに要するコストを算出するものである。判定部４５０は、上記の売却益と上記のコストとに基づいて、リサイクル対象の資源材料についてのリサイクルの可否を判定するものである。【選択図】        図４
2010250626.tif 000002
【特許請求の範囲】
【請求項１】
物品に含まれ該物品から資源として抽出することが可能な１種類以上の資源材料それぞれの、該物品における含有量を格納している資源データベースと、
複数種類の材料それぞれの単価を決定する価格決定システムと通信網を介して接続され、該価格決定システムから、前記１種類以上の資源材料のうち少なくとも１種類の抽出対象資源材料について単価を入手する価格入手部と、
前記物品が含有する抽出対象資源材料を該物品から抽出して売却したときの売却益を、該抽出対象資源材料について前記価格入手部で入手された単価と、該抽出対象資源材料について前記資源データベースに格納されている該物品における含有量とを使って算出する売却益算出部と、
前記物品から前記抽出対象資源材料を抽出するのに要するコストを、該コストの算出に用いる情報の提供を受けて算出するコスト算出部と、
前記売却益算出部で算出された売却益と、前記コスト算出部で算出されたコストとに基づいて、前記価格入手部で単価が入手された資源材料を前記物品から資源として抽出することについての可否を判定する判定部とを備えたことを特徴とする判定システム。
【請求項２】
前記資源データベースが、手作業による段階的な分解が可能な製品について、該分解の各段階で得られる各部品の重量及び個数と、分解可能な最小単位の部品における前記資源材料の含有率とを格納することによって、該資源材料の、前記製品における含有量と、前記分解の各段階で得られる各部品における含有量とを格納しているものであり、
前記資源データベースに前記資源材料の含有量が格納されている製品、もしくは、該製品に対する前記分解の各段階で得られる各部品のうちのいずれかを、操作を受けて前記物品として設定する物品設定部をさらに備えたことを特徴とする請求項１記載の判定システム。
【請求項３】
前記１種類以上の資源材料のうち少なくとも１種類の資源材料を、操作を受けて前記抽出対象資源材料に設定する材料設定部をさらに備え、
前記価格入手部が、前記材料設定部で前記抽出対象資源材料に設定された資源材料について単価を入手するものであることを特徴とする請求項１又は２記載の判定システム。
【請求項４】
前記売却益算出部は、前記価格入手部で複数種類の抽出対象資源材料それぞれの単価が入手された場合、各抽出対象資源材料について前記売却益を算出するものであり、
前記コスト算出部は、前記価格入手部で複数種類の抽出対象資源材料それぞれの単価が入手された場合、該複数種類の抽出対象資源材料の全てを、前記物品から抽出するのに要する総合的なコストを算出するものであり、
前記判定部は、前記価格入手部で複数種類の抽出対象資源材料それぞれの単価が入手された場合、前記売却益の総計と、前記総合的なコストとの大小関係に基づいて、前記複数種類の抽出対象資源材料の全てを前記物品から資源として抽出することについての可否を該複数種類の抽出対象資源材料の全てについて一括して判定するものであることを特徴とする請求項１から３のうちいずれか１項記載の判定システム。
【請求項５】
前記売却益算出部は、前記価格入手部で複数種類の抽出対象資源材料それぞれの単価が入手された場合、各抽出対象資源材料について前記売却益を算出するものであり、
前記コスト算出部は、前記価格入手部で複数種類の抽出対象資源材料それぞれの単価が入手された場合、各抽出対象資源材料について、前記物品から該各抽出対象資源材料を個別に抽出するのに要する個別的なコストを算出するものであり、
前記判定部は、前記価格入手部で複数種類の抽出対象資源材料それぞれの単価が入手された場合、前記売却益と前記個別的なコストとの大小関係に基づいて、各抽出対象資源材料を前記物品から資源として抽出することについての可否を該各抽出対象資源材料について個別に判定するものであることを特徴とする請求項１から３のうちいずれか１項記載の判定システム。
【請求項６】
コンピュータで実行され、該コンピュータ上に、
複数種類の材料それぞれの単価を決定する価格決定システムと通信網を介して接続され、該価格決定システムから、物品に含まれ該物品から資源として抽出することが可能な１種類以上の資源材料のうち少なくとも１種類の抽出対象資源材料について単価を入手する価格入手部と、
前記物品が含有する抽出対象資源材料を該物品から抽出して売却したときの売却益を、該抽出対象資源材料について前記価格入手部で入手された単価と、該抽出対象資源材料について、該物品に含まれ該物品から資源として抽出することが可能な１種類以上の資源材料それぞれの、該物品における含有量を格納している資源データベースに格納されている該物品における含有量とを使って算出する売却益算出部と、
前記物品から前記抽出対象資源材料を抽出するのに要するコストを、該コストの算出に用いる情報の提供を受けて算出するコスト算出部と、
前記売却益算出部で算出された売却益と、前記コスト算出部で算出されたコストとに基づいて、前記価格入手部で単価が入手された資源材料を前記物品から資源として抽出しリサイクルすることについての可否を判定する判定部とを構築することを特徴とする判定プログラム。
【発明の詳細な説明】
【技術分野】
【０００１】
本件は、資源材料のリサイクルについての可否を判定する判定システム、および、コンピュータをそのような判定システムとして動作させる判定プログラムに関する。
【背景技術】
【０００２】
現在、インターネット社会に代表されるように、ＩＴ（Ｉｎｆｏｒｍａｔｉｏｎ  Ｔｅｃｈｎｏｌｏｇｙ）の発展は目覚しく、ＩＴ機器やＩＴサービスが様々な分野で活用されている。ここで、ＩＴ機器には、その機能性を向上させるために、貴金属・希少金属を含有した素材・部品が多く使用されている。ところが、近年のアジア諸国の急激な経済発展に伴う金属資源の需要拡大・価格高騰等により、それらの貴金属・希少金属については安定供給が懸念されている。そのため、ＩＴ機器等の物品から、資源として再利用することが可能な貴金属・希少金属等の資源材料を抽出するリサイクル技術が注目を集めている（例えば、特許文献１〜３参照。）。
【先行技術文献】
【特許文献】
【０００３】
【特許文献１】特開２００６−２６０２４６号公報
【特許文献２】特開２００８−９７５４７号公報
【特許文献３】特許第３５４８４７０号明細書
【発明の概要】
【発明が解決しようとする課題】
【０００４】
しかしながら、上記のリサイクル技術を使って資源材料を抽出した場合、その抽出に要した費用が、資源材料を直接購入したときの費用を上回ってしまうことがある。現状では、このような費用の面でリサイクルについての可否判断が難しく、業者の多くがリサイクルに二の足を踏むことから、リサイクル技術の普及が遅れている。その結果、リサイクル技術によれば直接購入するよりも安価に得られたかもしれない貴重な資源材料が、しばしば海外に流出したり廃棄されたりしてしまっている。このため、資源材料のリサイクルについての可否を確実に判定できる判定システムが望まれている。
【０００５】
本件は上記事情に鑑み、資源材料のリサイクルについての可否を確実に判定できる判定システム、および、コンピュータをそのような判定システムとして動作させる判定プログラムを提供することを目的とするものである。
【課題を解決するための手段】
【０００６】
上記目的を達成する判定システムの基本形態は、資源データベースと、価格入手部と、売却益算出部と、コスト算出部と、判定部とを備えている。
【０００７】
資源データベースは、物品に含まれその物品から資源として抽出することが可能な１種類以上の資源材料それぞれの、その物品における含有量を格納しているものである。
【０００８】
価格入手部は、複数種類の材料それぞれの単価を決定する価格決定システムと通信網を介して接続され、その価格決定システムから、上記１種類以上の資源材料のうち少なくとも１種類の抽出対象資源材料について単価を入手するものである。
【０００９】
売却益算出部は、上記物品が含有する抽出対象資源材料をその物品から抽出して売却したときの売却益を、次のように算出するものである。即ち、売却益算出部は、その売却益を、上記抽出対象資源材料について上記価格入手部で入手された単価と、その抽出対象資源材料について上記資源データベースに格納されているその物品における含有量とを使って算出する。
【００１０】
コスト算出部は、上記物品から上記抽出対象資源材料を抽出するのに要するコストを、そのコストの算出に用いる情報の提供を受けて算出するものである。
【００１１】
判定部は、上記売却益算出部で算出された売却益と、上記コスト算出部で算出されたコストとに基づいて、上記価格入手部で単価が入手された資源材料を上記物品から資源として抽出することについての可否を判定するものである。
【００１２】
また、上記目的を達成する判定プログラムの基本形態は、コンピュータで実行され、そのコンピュータ上に、上記価格入手部と、上記売却益算出部と、上記コスト算出部と、上記判定部とを構築するものである。
【発明の効果】
【００１３】
本件によれば、資源材料のリサイクルについての可否を確実に判定することができる。
【図面の簡単な説明】
【００１４】
【図１】基本形態について上述した判定システムの具体的な一実施形態として動作するコンピュータを示す図である。
【図２】図１に示すコンピュータのハードウェア構成図である。
【図３】基本形態について説明した判定プログラムの具体的な実施形態であるリサイクル判定プログラムが記憶されたＣＤ−ＲＯＭを示す概念図である。
【図４】基本形態について説明した判定システムの具体的な実施形態であるリサイクル判定システムを示すブロック図である。
【図５】金属資源データベースにおける階層構造の一例を示す模式図である。
【図６】図４の処理対象設定部で実行される２種類の設定処理の流れを示すフローチャートである。
【図７】図４の金属資源売却益算出部で実行される金属資源材料の単価の入手から売却益の算出までの一連の処理を示すフローチャートである。
【図８】図４のコスト算出部で実行されるコストの算出処理の詳細を示す模式図である。
【図９】図４のコスト算出部で実行される、リサイクル処理料Ｄの算出処理を示すフローチャートである。
【発明を実施するための形態】
【００１５】
以下、上記に基本形態について説明した判定システムおよび判定プログラムの具体的な実施形態について、図面を参照して説明する。
【００１６】
図１は、基本形態について上述した判定システムの具体的な一実施形態として動作するコンピュータを示す図である。また、図２は、図１に示すコンピュータのハードウェア構成図である。
【００１７】
このコンピュータ１００は、本体部１１０、画像表示装置１２０、キーボード１３０、およびマウス１４０を備えている。
【００１８】
本体部１１０は、後述するＣＰＵ１１１やハードディスク装置（ＨＤＤ）１１３等を内蔵し各種処理を実行する装置である。また、この本体部１１０は、ＣＤ−ＲＯＭ２００が装填されるＣＤ−ＲＯＭ装填口１１０Ａを有している。画像表示装置１２０は、本体部１１０からの指示によりモニタ１２１に画像表示を行う装置である。キーボード１３０は、このコンピュータ１００にユーザの指示や文字情報を入力するためのものである。マウス１４０は、モニタ１２１上の任意の位置を指定することによりその位置に応じた指示をこのコンピュータ１００に入力するものである。
【００１９】
本体部１１０の内部には、図２に示すように、ＣＰＵ１１１、主メモリ１１２、ＨＤＤ１１３、ＣＤ−ＲＯＭドライブ１１４、およびＩ／Ｏインタフェース１１５が内蔵されている。
【００２０】
ＣＰＵ１１１は、各種プログラムを実行するものである。主メモリ１１２は、ＨＤＤ１１３に格納されたプログラムが読み出されてＣＰＵ１１１での実行のために展開されるメモリである。ＨＤＤ１１３は、各種プログラムやデータが保存されるメモリである。ＣＤ−ＲＯＭドライブ１１４は、ＣＤ−ＲＯＭ装填口１１０Ａから装填されたＣＤ−ＲＯＭ２００にアクセスするものである。Ｉ／Ｏインタフェース１１５は、このコンピュータ１００が外部機器との間でデータのやりとりを行うためのインタフェースである。これらの各種要素、図１にも示す画像表示装置１２０、キーボード１３０、およびマウス１４０は、バス１１６を介して相互に接続されている。
【００２１】
以上に説明したコンピュータ１００に、判定プログラムの具体的な実施形態である後述のリサイクル判定プログラムがインストールされると、このコンピュータ１００が、判定システムの具体的な実施形態である後述のリサイクル判定システムとして動作する。
【００２２】
図３は、基本形態について説明した判定プログラムの具体的な実施形態であるリサイクル判定プログラムが記憶されたＣＤ−ＲＯＭを示す概念図である。
【００２３】
このＣＤ−ＲＯＭ２００に記憶され、コンピュータ１００をリサイクル判定システムとして動作させるリサイクル判定プログラム３００が、基本形態について上述したリサイクル判定プログラムの具体的な実施形態に相当する。このリサイクル判定プログラム３００は、処理対象設定部３１０と、金属資源売却益算出部３２０と、コスト算出部３３０と、判定部３４０と、表示部３５０とを有する。このリサイクル判定プログラム３００の各要素の詳細については後述する。
【００２４】
図４は、基本形態について説明した判定システムの具体的な実施形態であるリサイクル判定システムを示すブロック図である。
【００２５】
この図４に示すリサイクル判定システム４００は、図３のリサイクル判定プログラム３００が図１のコンピュータ１００にインストールされて実行されることによって構成されるものである。このリサイクル判定システム４００が、基本形態について説明した判定システムの具体的な実施形態に相当する。このリサイクル判定システム４００は、処理対象設定部４１０と、金属資源売却益算出部４２０と、コスト算出部４３０と、判定部４４０と、表示部４５０とを有する。
【００２６】
図３のリサイクル判定プログラム３００が、図１のコンピュータ１００にインストールされると、そのリサイクル判定プログラム３００の各要素が、リサイクル判定システム４００の各要素を構築する。即ち、リサイクル判定プログラム３００の処理対象設定部３１０が、リサイクル判定システム４００の処理対象設定部４１０を構築する。また、リサイクル判定プログラム３００の金属資源売却益算出部３２０が、リサイクル判定システム４００の金属資源売却益算出部４２０を構築する。また、リサイクル判定プログラム３００のコスト算出部３３０が、リサイクル判定システム４００のコスト算出部４３０を構築する。また、リサイクル判定プログラム３００の判定部３４０が、リサイクル判定システム４００の判定部４４０を構築する。また、リサイクル判定プログラム３００の表示部３５０が、リサイクル判定システム４００の表示部４５０を構築する。
【００２７】
ここで、これらリサイクル判定システム４００の各要素は、コンピュータのハードウェアとそのコンピュータで実行されるＯＳやアプリケーションプログラムとの組合せで構成されている。これに対し、図３のリサイクル判定プログラム３００の各要素は、アプリケーションプログラムのみによって構成されている。
【００２８】
さらに、このリサイクル判定システム４００は、金属資源データベース４６０とリサイクル処理料データベース４７０との２つのデータベースを有している。
【００２９】
本実施形態の金属資源データベース４６０が、上述の基本形態における資源データベースの一例に相当する。また、本実施形態の金属資源売却益算出部４２０が、上述の基本形態における価格入手部と売却益算出部とを兼ねた一例に相当する。また、コスト算出部４３０が、上述の基本形態におけるコスト算出部の一例に相当する。また、判定部４４０が、上述の基本形態における判定部の一例に相当する。
【００３０】
以下、この図４のリサイクル判定システム４００の各要素の詳細について説明する。また、このリサイクル判定システム４００の各要素を説明することによって、図３に示すリサイクル判定プログラム３００の各要素も併せて説明する。
【００３１】
金属資源データベース４６０は、例えばノート型のパーソナルコンピュータ（ノートＰＣ）等といった製品から資源としてリサイクルすることが可能な金属資源材料の、その製品における含有量を、複数種類の製品について格納するデータベースである。
【００３２】
ここで、この金属資源データベース４６０には、各製品における金属資源材料の含有量が、以下に説明する階層構造で格納されている。
【００３３】
図５は、金属資源データベースにおける階層構造の一例を示す模式図である。
【００３４】
この図５には、階層構造の一例として、ノートＰＣにおける金属資源材料の含有量の格納についての階層構造が示されている。この図５の例のように、金属資源データベース４６０における階層構造は、最上位の階層がノートＰＣ等といった製品に対応し、以下、その製品を手作業で分解したときの各分解レベルの部品に応じた階層に分かれている。図５の例では、ノートＰＣを最上位の階層４６０＿１とした４つの階層４６０＿１，…，４６０＿４が示されている。
【００３５】
まず、金属資源データベース４６０では、最上位の階層４６０＿１には、その最上位の階層４６０＿１に対応した製品の名称が格納されている。また、各階層４６０＿２，…，４６０＿４については、それら各階層に属する各部品の名称と個数と重量とが格納されている。
【００３６】
ここで、金属資源データベース４６０におけるこのような各階層に属するプリント基板やＣＰＵユニット等の部品や、それらの部品で構成されるノートＰＣ等の製品が、上述の基本形態にいう物品の一例に相当する。
【００３７】
そして、この金属資源データベース４６０では、各階層に属する部品のうち、手作業で分解可能な最小単位の部品について、その最小単位の部品に含まれる金属資源材料の名称と、その部品中での含有率とのリストが格納されている。図５の例では、図５の第３階層４６０＿３に属する抵抗やコンデンサ、あるいは、第４階層４６０＿４に属するＩＣパッケージやヒートシンク等が最小単位の部品に相当する。図５には、第４階層４６０＿４に属するＩＣパッケージについて格納される、金属資源材料の名称と含有率とのリストＬ１が模式的に示されている。この図５のリストＬ１に記載されている金（Ａｕ）や銀（Ａｇ）等といった金属資源材料が、上述の基本形態にいう資源材料の一例に相当する。
【００３８】
尚、本実施形態では、この金属資源データベース４６０で対象としている金属元素は、貴金属、経済産業省が定義する希少金属、さらに有害金属となっている。具体的には、Ｌｉ、Ｂｅ、Ｂ、Ｓｃ、Ｔｉ、Ｖ、Ｃｒ、Ｍｎ、Ｃｏ、Ｎｉ、Ｃｕ、Ｇａ、Ｇｅ、Ｓｅ、Ｒｂ、Ｓｒ、Ｙ、Ｚｒ、Ｎｂ、Ｍｏ、Ｒｈが挙げられる。また、Ｐｄ、Ａｇ、Ｃｄ、Ｉｎ、Ｓｂ、Ｔｅ、Ｃｓ、Ｂａ、Ｈｆ、Ｔａ、Ｗ、Ｒｅ、Ｐｔ、Ａｕ、Ｔｌ、Ｐｂ、Ｂｉ、ランタノイド等も挙げられる。さらに、本実施形態では、１ｐｐｍ以上の含有率のものが対象となっている。
【００３９】
また、この金属資源データベース４６０には、新たな製品についての金属資源材料の含有量の追加や、既に格納されている内容についての編集等が可能となっている。
【００４０】
以上に説明したように、本実施形態では、金属資源データベース４６０には、複数種類の製品における金属資源材料の含有量が、各製品を構成する部品の個数、重量、および最小単位の部品に含まれる金属資源材料の含有率という形式で格納されている。
【００４１】
処理対象設定部４１０は、まず、リサイクルの可否を判定するリサイクル対象の物品を設定する。処理対象設定部４１０は、上記の金属資源データベース４６０中の複数種類の製品のうちの１つ、またはいずれかの製品を構成する部品のうちの１つをリサイクル対象の物品に設定する。次に、この処理対象設定部４１０は、その選択したリサイクル対象の物品に含まれる複数種類の金属資源材料のうちの任意の種類の金属資源材料を、リサイクル対象の金属資源材料に設定する。この処理対象設定部４１０によって設定されるリサイクル対象の金属資源材料が、上述の基本形態にいう抽出対象資源材料の一例に相当する。
【００４２】
図６は、図４の処理対象設定部で実行される２種類の設定処理の流れを示すフローチャートである。
【００４３】
この図６のフローチャートが示す処理は、図１のコンピュータ１００に対する所定操作によってユーザがリサイクルの可否についての判定の実行を指示するとスタートする。処理がスタートすると、まず、図４の処理対象設定部４１０が、図１のモニタ１２１に、上記の金属資源データベース４６０中の複数の製品の一覧を表示する（ステップＳ１０１）。次に、ユーザによるモニタ１２１上でのクリック操作を受けて、処理対象設定部４１０が、その一覧中の複数の製品の中から、そのクリック操作に応じた１つの製品を選択する（ステップＳ１０２）。続いて、処理対象設定部４１０は、その選択した製品について、金属資源データベース４６０中で上記の階層構造をなしている、その製品を構成する部品の一覧を表示する（ステップＳ１０３）。尚、このステップＳ１０３では、部品の一覧とともに、それらの部品で構成される、上記のステップＳ１０２で選択された製品の名称も表示される。そして、ユーザによるクリック操作を受けて、処理対象設定部４１０が、表示された部品のうちの１つ、あるいは製品自体を、リサイクル対象の物品に設定する（ステップＳ１０４）。本実施形態では、金属資源データベース４６０中の製品や部品の中から、リサイクル対象の物品が、以上のステップＳ１０１からステップＳ１０４までの一連の処理によって設定される。
【００４４】
ここで、本実施形態では、上述したように図４の金属資源データベース４６０には、金属資源材料の含有量が、製品の部品の個数、重量、および最小単位の部品に含まれる金属資源材料の含有率という形式で格納されている。これにより、製品や部品のうちのどれがリサイクル対象の物品に設定されても、後述するように、金属資源材料の含有率に部品の重量や個数を乗じることで、その物品における金属資源材料の含有量（重量）を簡単に得ることができる。
【００４５】
このことは上述の基本形態に対し、以下に説明する応用形態が好適であることを意味している。この応用形態では、上記資源データベースが、手作業による段階的な分解が可能な製品について、その分解の各段階で得られる各部品の重量及び個数と、分解可能な最小単位の部品における上記資源材料の含有率とを格納することとなっている。そして、資源データベースは、このような格納によって、上記資源材料の、上記製品における含有量と、上記分解の各段階で得られる各部品における含有量とを格納している。また、この応用形態は、上記資源データベースに上記資源材料の含有量が格納されている製品、もしくは、その製品に対する上記分解の各段階で得られる各部品のうちのいずれかを、操作を受けて上記物品として設定する物品設定部をさらに備えている。
【００４６】
本実施形態の金属資源データベース４６０は、この応用形態における資源データベースの一例にも相当している。また、本実施形態の処理対象設定部４１０は、この応用形態における物品設定部の一例に相当する。
【００４７】
次に、図４の処理対象設定部４１０は、金属資源データベース４６０において、その選択されたリサイクル対象の物品に含まれる金属資源材料の一覧をモニタ１２１上に表示する（ステップＳ１０５）。この金属資源材料の一覧とは、リサイクル対象の物品における全ての最小単位の部品に含まれる金属資源材料を総合した一覧である。例えば、図５の例において、ＣＰＵユニットがリサイクル対象の物品として選択されたと仮定する。その場合、上記のステップＳ１０５の処理では、そのＣＰＵユニットにおける最小単位の部品であるＩＣパッケージやヒートシンクやファンそれぞれに含まれる金属資源材料を総合した一覧が表示されることとなる。そして、このステップＳ１０５の処理の次に、ユーザによるクリック操作を受けて、処理対象設定部４１０が、そのクリック操作に応じた金属資源材料をリサイクル対象の金属資源材料に設定する（ステップＳ１０６）。尚、このステップＳ１０６では、ユーザは、クリック操作によって、一覧中の全数を含む任意の数の金属資源材料を選択することができる。
【００４８】
ここで、本実施形態では、ユーザは、リサイクル対象の物品に含まれる金属資源材料のうちの所望の金属資源材料をリサイクル対象の金属資源材料に設定することができる。これにより、全ての金属資源材料がリサイクルされた場合や、高い利益が見込めそうな金属資源材料のみがリサイクルされた場合等といった様々な条件下での判定が可能となっている。
【００４９】
このことは上述の基本形態に対し、以下に説明する応用形態が好適であることを意味している。この応用形態は、上記１種類以上の資源材料のうち少なくとも１種類の資源材料を、操作を受けて上記抽出対象資源材料に設定する材料設定部をさらに備えている。そして、この応用形態では、上記価格入手部が、上記材料設定部で設定された資源材料について単価を入手するものとなっている。
【００５０】
本実施形態の処理対象設定部４１０は、この応用形態における材料設定部の一例にも相当している。また、本実施形態の金属資源売却益算出部４２０は、この応用形態における価格入手部を兼ねた一例にも相当している。
【００５１】
図４の処理対象設定部４１０でリサイクル対象の物品とリサイクル対象の金属資源材料とが選択されると、次に、金属資源売却益算出部４２０が、以下に説明するように、リサイクル対象の金属資源材料の売却益を算出する。
【００５２】
金属資源売却益算出部４２０は、インターネット等の所定の通信網４８０を介して、世界各国の金属取引所（例えば、ＬＥＭ：ロンドン金属取引所）４９０に接続されている。そして、金属資源売却益算出部４２０は、処理対象設定部４１０で選択されたリサイクル対象の金属資源材料の単価をこれらの金属取引所４９０から入手する。さらに、その入手した単価を使って、金属資源売却益算出部４２０は、リサイクル対象の金属資源材料が、リサイクル対象の物品における含有量分だけ売却されたときの売却益を算出する。
【００５３】
図７は、図４の金属資源売却益算出部で実行される金属資源材料の単価の入手から売却益の算出までの一連の処理を示すフローチャートである。
【００５４】
このフローチャートが示す処理は、図４の処理対象設定部４１０で、リサイクル対象の物品とリサイクル対象の金属資源材料が設定されるとスタートする。処理がスタートすると、まず、図４の金属資源売却益算出部４２０が、以下に説明する処理によって、リサイクル対象の物品におけるリサイクル対象の金属資源材料それぞれの含有量を算出する（ステップＳ２０１）。上述したように、図４の金属資源データベース４６０には、複数の製品における金属資源材料の含有量が、各製品を構成する部品の個数、重量、および最小単位の部品に含まれる金属資源材料の含有率という形式で格納されている。このため、ステップＳ２０１の処理では、まず、金属資源売却益算出部４２０は、金属資源データベース４６０から、リサイクル対象の物品を構成する部品の重量と個数を入手する。また、そのリサイクル対象の物品が、製品の部品である場合には、金属資源売却益算出部４２０は、そのリサイクル対象の物品の重量も入手する。さらに、金属資源売却益算出部４２０は、金属資源データベース４６０から、リサイクル対象の物品の部品のうち、最小単位の部品に含まれるリサイクル対象の金属資源材料の含有率を入手する。そして、各金属資源材料の含有率に、その金属資源材料が属する部品の重量と個数を乗じる。さらに、その部品が別の上位部品に属している場合にはその上位部品の個数と重量も乗じる。このような計算がリサイクル対象の金属資源材料の全てについて実行されることにより、リサイクル対象の物品におけるリサイクル対象の金属資源材料それぞれの含有量が得られる。
【００５５】
次に、図４の金属資源売却益算出部４２０は、通信網４８０を介して接続された世界各国の金属取引所４９０から、リサイクル対象の金属資源材料の単価を入手する（ステップＳ２０２）。ここで、金属資源売却益算出部４２０は、１つの金属資源材料について、複数の金属取引所４９０から互いに異なった値の単価を入手した場合、最も高価なものをその金属資源材料の単価として採用する。
【００５６】
続いて、図４の金属資源売却益算出部４２０は、ステップＳ２０２の処理で得たリサイクル対象の金属資源材料の単価に、ステップＳ２０１の処理で得た含有量を乗じる（ステップＳ２０３）。これにより、リサイクル対象の金属資源材料が、リサイクル対象の物品における含有量分だけ売却されたときの売却益が算出されることとなる。
【００５７】
本実施形態では、金属資源売却益算出部４２０での以上に説明した一連の処理により、しばしば変動することがある金属資源材料の最新の売却益をリアルタイムで得ることができる。
【００５８】
金属資源売却益算出部４２０は、このように算出したリサイクル対象の金属資源材料それぞれの売却益を判定部４４０に渡す。
【００５９】
以上のようにリサイクル対象の金属資源材料の売却益が算出される一方、図４のコスト算出部４３０において、リサイクル対象の金属資源材料を、リサイクル対象の物品を購入してその物品からのリサイクルによって得るのに要するコストが算出される。この算出は、以下に説明するように行われる。
【００６０】
図８は、図４のコスト算出部で実行されるコストの算出処理の詳細を示す模式図である。
【００６１】
図４のコスト算出部４３０は、まず、図１のモニタ１２１に、この算出に用いる後述の各種入力項目について情報を入力するようにユーザに求めるメッセージと共に所定の入力画面を表示する。図８には、ユーザに情報の入力が求められる各種入力項目のリストＬ２が示されている。
【００６２】
このリストＬ２に示す入力項目は、リサイクルに要するコストの内訳である。ただし、この入力項目からは、リサイクル対象の金属資源材料それぞれを物品から抽出する化学処理等に要する、金属資源材料毎に個別に発生するリサイクル処理料Ｄは除かれている。
【００６３】
本実施形態では、この入力項目として、まず、リサイクル対象の物品（製品あるいは部品）の購入価格Ａと、その物品の運搬料Ｂが挙げられている。リサイクル対象の金属資源材料を得るためには、まず、そのリサイクルの元となるリサイクル対象の物品を仕入れる必要がある。上記の２つの入力項目Ａ，Ｂは、このリサイクル対象の物品を仕入れに掛かる費用である。次に、入力項目として、リサイクル対象の物品の洗浄や分解等といった前処理に掛かる費用（前処理料）Ｃと、処理後の残渣や廃液等の廃棄に掛かる費用（残渣・廃液処理費）Ｅとが挙げられている。以上に説明した４つの入力項目Ａ，Ｂ，Ｃ，Ｅと、ユーザによる入力とは別に算出されるリサイクル処理料Ｄとの総計が、リサイクル対象の物品を購入して金属資源材料を抽出する処理そのものに要するコスト（リサイクル費）となる。
【００６４】
図９は、図４のコスト算出部で実行される、リサイクル処理料Ｄの算出処理を示すフローチャートである。
【００６５】
本実施形態のリサイクル判定システム４００は、図４にも示すリサイクル処理料データベース４７０を備えている。このリサイクル処理料データベース４７０は、金属資源材料を単位量だけリサイクルにより抽出する処理に要する費用、即ち単位量当たりのリサイクル処理料Ｄを、複数種類の金属資源材料それぞれについて格納するデータベースである。
【００６６】
図４のコスト算出部４３０は、まず、上記のように設定されたリサイクル対象の金属資源材料それぞれに対応する単位量当たりのリサイクル処理料Ｄを、リサイクル処理料データベース４７０から抽出する（ステップＳ３０１）。次に、コスト算出部４３０は、そのように抽出した単位量当たりのリサイクル処理料Ｄに、上記の図７のステップＳ２０１の処理で得られたリサイクル対象の金属資源材料の含有量を乗じる。これにより、リサイクル対象の金属資源材料それぞれを、リサイクル対象の物品における含有量だけ抽出するのに要するリサイクル処理料Ｄが算出される（ステップＳ３０２）。
【００６７】
以上で、リサイクル処理料Ｄの算出処理についての説明を終了し、再び図８に戻って説明を続ける。
【００６８】
図８のリストＬ２の入力項目には、施設年間処理量Ｆ、処理施設建設費Ｇ、減価償却年数Ｈ、および施設の修繕費Ｉが挙げられている。これらの情報は、リサイクルのための施設の運営に要する費用（施設運営費）の算出に使う情報である。
【００６９】
また、図８のリストＬ２の入力項目には、年間のべ労働者人数Ｊおよび平均人件費Ｋが挙げられている。これらの情報は、リサイクルのための施設で働く労働者についての人件費の算出に使う情報である。尚、この人件費の算出には、これら２つの情報Ｊ，Ｈと、上記の施設年間処理量Ｆとが使われる。
【００７０】
上記の１０個の入力項目Ａ〜Ｃ，Ｅ〜Ｋについての情報の入力と、図４のコスト算出部４３０によるリサイクル処理料Ｄの算出とが終了すると、コスト算出部４３０は、リサイクルに伴う支出Ｘを次のように算出する。
【００７１】
まず、図４のコスト算出部４３０は、この支出Ｘに占めるリサイクル費を算出する。
【００７２】
ここで、コスト算出部４３０は、次のような２種類のリサイクル費を算出する。
【００７３】
２種類のリサイクル処理費のうちの１つは、全てのリサイクル対象の金属資源材料をリサイクル対象の物品から一括して得るのに要するリサイクル処理費である。このリサイクル処理費は、図９のステップＳ３０３で得られたリサイクル処理料Ｄの総計と、上記の他の４つの費用Ａ，Ｂ，Ｃ，Ｅとが足し合わされて求められる。
【００７４】
２種類のリサイクル処理費のうちのもう１つは、リサイクル対象の金属資源材料それぞれをリサイクル対象の物品から個別に得るのに要するリサイクル処理費である。このリサイクル処理費は、各金属資源材料のリサイクル処理料Ｄと、上記の他の４つの費用Ａ，Ｂ，Ｃ，Ｅとが足し合わされて求められる。例えば、金（Ａｕ）についてのリサイクル処理費は、金（Ａｕ）のリサイクル処理料Ｄと、上記の他の４つの費用Ａ，Ｂ，Ｃ，Ｅとが足し合わされて求められる。また、銀（Ａｇ）についてのリサイクル処理費は、銀（Ａｇ）のリサイクル処理料Ｄと、上記の他の４つの費用Ａ，Ｂ，Ｃ，Ｅとが足し合わされて求められる。
【００７５】
次に、コスト算出部４３０は、支出Ｘに占める施設運営費を算出する。
【００７６】
施設運営費の算出には、上述したように施設年間処理量Ｆ、処理施設建設費Ｇ、減価償却年数Ｈ、および施設の修繕費Ｉが使われる。これらの情報についての符号Ｆ〜Ｉを用いると、施設運営費は以下の（１）式で表される。
【００７７】
施設運営費＝（Ｇ／Ｈ＋Ｉ）／Ｆ……（１）
コスト算出部４３０は、この（１）に、ユーザからの各入力値を代入して施設運営費を算出する。
【００７８】
また、コスト算出部４３０は、支出Ｘに占める人件費を算出する。
【００７９】
人件費の算出には、施設年間処理量Ｆ、年間のべ労働者人数Ｊ、および平均人件費Ｋが使われる。これらの情報についての符号Ｆ，Ｊ，Ｈを用いると人件費は以下の（２）式で表される。
【００８０】
人件費＝Ｊ×Ｈ／Ｆ……（２）
コスト算出部４３０は、この（２）に、ユーザからの各入力値を代入して施設運営費を算出する。
【００８１】
そして、コスト算出部４３０は、上記の２種類のリサイクル費、施設運営費、および人件費を使って、次のような２種類の支出を算出する。
【００８２】
まず、２種類の支出Ｘのうちの１つは、リサイクル処理料Ｄの総計を含むリサイクル費と施設運営費と人件費とが足し合わされることで求められる。この支出Ｘは、リサイクル対象の金属資源材料をまとめてリサイクルによって得るときの包括的な支出Ｘである。
【００８３】
一方、２種類の支出Ｘのうちのもう１つは、リサイクル処理対象の金属資源それぞれのリサイクル処理料Ｄを含むリサイクル費と施設運営費と人件費とが足し合わされることで求められる。この支出Ｘは、リサイクル対象の金属資源材料を個別のリサイクルによって得るときの個別的な支出Ｘである。この個別的な支出Ｘは、リサイクル処理対象の金属資源それぞれについて求められる。
【００８４】
コスト算出部４３０は、このように算出した包括的な支出Ｘと、リサイクル処理対象の金属資源それぞれについての個別的な支出Ｘとを判定部４４０に渡す。
【００８５】
判定部４４０は、金属資源売却益算出部４２０から渡された売却益と、コスト算出部４３０から渡された支出Ｘとに基づいて、以下のような判定を行う。
【００８６】
判定部４４０は、この判定を行うに当たり、まず、金属資源売却益算出部４２０から渡された売却益の総計を、リサイクル対象の金属資源材料をまとめてリサイクルによって得て売却したときの包括的な収入Ｙとして算出する。
【００８７】
そして、判定部４４０は、この包括的な収入Ｙから上記の包括的な支出Ｘを差し引くことで、包括的な収益を算出する。そして、この包括的な収益が正負いずれであるかによって、リサイクル対象の金属資源材料をまとめてリサイクルによって得るというリサイクルについての可否を判定する。即ち、この包括的な収益が正であるときは確実に利益が見込めることから、このリサイクルを可であると判定する。一方、包括的な収益が負であるときは損失となってしまうことから、このリサイクルを否であると判定する。
【００８８】
また、判定部４４０は、リサイクル対象の金属資源材料それぞれの個別の売却益から、対応する金属資源材料の個別的な支出Ｘを差し引くことで、各金属資源材料についての個別的な収益を算出する。そして、各金属資源材料についての個別的な収益が正負いずれであるかによって、各金属資源材料を個別にリサイクルによって得るというリサイクルについての可否を判定する。個別的な収益が正であるときは可と判定し、個別的な収益が負であるときは否と判定する。
【００８９】
判定部４４０は、以上の判定結果を図４の表示部４５０に渡す。
【００９０】
表示部４５０は、表示画面４５１にその判定結果を表示する。
【００９１】
図４には、この表示部４５０によって表示される表示画面４５１の一例が示されている。表示画面４５１には、リサイクル対象の物品に設定された製品もしくは部品の名称と、リサイクル対象の金属資源材料に設定された各金属資源材料の名称の一覧とが記載される。そして、リサイクル対象の物品に設定された製品もしくは部品についての判定結果と包括的な売却益とが記載される。また、その製品もしくは部品についての記載行の、図中下側に各金属資源材料についての判定結果と個別的な売却益とが記載される。判定結果は、可が丸印で示され、否がばつ印で示される。
【００９２】
この図４の例では、図５に金属資源データベース４６０中の製品の一例として示されたノートＰＣが、リサイクル対象の物品に設定されている。また、この図４の例では、金（Ａｕ）、銀（Ａｇ）、銅（Ｃｕ）、タングステン（Ｗ）、ニッケル（Ｎｉ）、およびコバルト（Ｃｏ）が、リサイクル対象の金属資源材料に設定されている。
【００９３】
そして、ノートＰＣからこれらの金属資源材料をまとめてリサイクルで得ることについて否という判定結果となっている。また、金（Ａｕ）、銀（Ａｇ）、銅（Ｃｕ）、およびタングステン（Ｗ）を個別にリサイクルで得ることについては可という判定結果となっている。さらに、ニッケル（Ｎｉ）およびコバルト（Ｃｏ）を個別にリサイクルで得ることについては否という判定結果となっている。
【００９４】
また、この図４には、図５にノートＰＣの部品として示されたＣＰＵユニットやＬＣＤやＨＤＤがそれぞれリサイクル対象の物品に設定されたときの判定結果と売却益も示されている。また、この部品がリサイクル対象の物品に設定されたときの例では、リサイクル対象の金属資源材料の判定結果と売却益とについては記載が省略されている。
【００９５】
以上に説明したように、本実施形態のリサイクル判定システム４００によれば、ユーザは、リサイクル対象の物品とリサイクル対象の金属資源材料とを指定し、図８の各入力項目について情報を入力することで、リサイクルの可否について確実に知ることができる。また、仮に採算性が合わないという判定結果が得られたとしても、将来的に金属資源材料の単価がどの程度上昇すれば採算が取れるかといったことについて把握することもできる。
【００９６】
ここで、この本実施形態のリサイクル判定システム４００によれば、各金属資材料についての売却益の総計からなる収入Ｙと、上記の包括的な支出Ｘとの大小関係に基づいて、リサイクルの可否、即ち、そのリサイクルで採算が取れるが否かが判定される。つまり、このリサイクル判定システム４００によれば、ユーザは、まず、ノートＰＣやＣＰＵユニット等といった物品単位で、そもそもリサイクルで採算が取れるか否かを知ることができる。
【００９７】
このことは、上述の基本形態に対し、以下に説明する応用形態が好適であることを意味している。この応用形態では、上記売却益算出部は、上記価格入手部で複数種類の抽出対象資源材料それぞれの単価が入手された場合、各抽出対象資源材料について上記売却益を算出するものとなっている。また、この応用形態では、上記コスト算出部は、上記価格入手部で複数種類の抽出対象資源材料それぞれの単価が入手された場合、次のようなコストを算出するものとなっている。即ち、このコスト算出部は、上記の場合、上記複数種類の抽出対象資源材料の全てを、上記物品から抽出するのに要する総合的なコストを算出する。そして、上記判定部は、上記価格入手部で複数種類の抽出対象資源材料それぞれの単価が入手された場合、上記売却益の総計と、上記総合的なコストとの大小関係に基づいて、次のように判定するものとなっている。即ち、この判定部は、上記の大小関係に基づいて、上記複数種類の抽出対象資源材料の全てを上記物品から資源として抽出することについての可否をその複数種類の抽出対象資源材料の全てについて一括して判定する。
【００９８】
本実施形態の金属資源売却益算出部４２０は、この応用形態における売却益算出部を兼ねた一例にも相当している。また、本実施形態のコスト算出部４３０は、この応用形態におけるコスト算出部の一例にも相当している。
【００９９】
また、この本実施形態のリサイクル判定システム４００によれば、各金属資材料についての売却益からなる個別的な収入Ｙと、上記の個別的な支出Ｘとの大小関係に基づいて、リサイクルで採算が取れるが否かが判定される。つまり、このリサイクル判定システム４００によれば、ユーザは、リサイクル対象の金属資源材料に設定されたものの中で、採算性の悪いものを知ることができる。
【０１００】
このため、この本実施形態のリサイクル判定システム４００によれば、次のような運用が可能となる。まず、リサイクル対象の物品に含まれる金属資源材料の全てをリサイクル対象の金属資源材料に設定して上記の判定を行う。このとき、上記の包括的な判定結果が否であった場合には、リサイクル対象の金属資源材料の中に、個別的な判定結果が否となった採算性の悪いものがあるはずである。そして、その採算性の悪い金属資源材料を除いてリサイクル対象の金属資源材料の設定を行い再度上記の判定を行う。このような運用により、どの金属資源材料についてリサイクルを行えば確実に採算がとれるかを知ることができる。
【０１０１】
以上のことは、上述の基本形態に対し、以下に説明する応用形態が好適であることを意味している。この応用形態では、上記売却益算出部は、上記価格入手部で複数種類の抽出対象資源材料それぞれの単価が入手された場合、各抽出対象資源材料について上記売却益を算出するものとなっている。また、この応用形態では、上記コスト算出部は、上記価格入手部で複数種類の抽出対象資源材料それぞれの単価が入手された場合、次のようにコストを算出するものとなっている。即ち、このコスト算出部は、上記の場合、各抽出対象資源材料について、上記物品からその各抽出対象資源材料を個別に抽出するのに要する個別的なコストを算出する。そして、上記判定部は、上記価格入手部で複数種類の抽出対象資源材料それぞれの単価が入手された場合、上記売却益と上記個別的なコストとの大小関係に基づいて、次のように判定するものとなっている。即ち、この判定部は、上記の大小関係に基づいて、各抽出対象資源材料を上記物品から資源として抽出することについての可否をその各抽出対象資源材料について個別に判定する。
【０１０２】
本実施形態の金属資源売却益算出部４２０は、この応用形態における売却益算出部を兼ねた一例にも相当している。また、本実施形態のコスト算出部４３０は、この応用形態におけるコスト算出部の一例にも相当している。
【０１０３】
尚、上記では、基本形態について上述したリサイクル判定システムの一実施形態として、１台のコンピュータ上に構築されたリサイクル判定システム４００を例示したが、基本形態について上述じたリサイクル判定システムはこれに限るものではない。基本形態について上述じたリサイクル判定システムは、例えば、リサイクル判定システムの構成要素が複数台のコンピュータに分散して構築され、それら複数台のコンピュータが通信網で互いに結合されたもの等であっても良い。
【０１０４】
また、上記では、上記の基本形態にいう資源材料の一例として金属資源材料を例示したが、この基本形態にいう資源材料はこれに限るものではなく、例えば金属資源材料以外の無機材料や有機材料等であっても良い。
【０１０５】
また、上記では、上記の基本形態にいう資源データベースの一例として、製品を構成する部品の個数および重量と最小単位の部品に含まれる金属資源材料の含有率とで、金属資源材料の含有量（重量）を格納する金属資源データベース４６０を例示した。しかしながら、上記の基本形態にいう資源データベースはこれに限るものではなく、例えば、製品や部品に含まれる金属資源材料の含有量を直接的に格納するものであっても良い。また、上記の基本形態にいう資源データベースは、例えば、製品内で部品の占める体積や面積と上記の含有率とで、金属資源材料の含有量（体積や面積）を格納するものであっても良い。
【符号の説明】
【０１０６】
１００    コンピュータ
１１０    本体部
１１０Ａ    ＣＤ−ＲＯＭ装填口
１１１    ＣＰＵ
１１２    主メモリ
１１３    ＨＤＤ
１１４    ＣＤ−ＲＯＭドライブ
１１５    Ｉ／Ｏインタフェース
１１６    バス
１２０    画像表示装置
１２１    モニタ
１３０    キーボード
１４０    マウス
２００    ＣＤ−ＲＯＭ
３００    リサイクル判定プログラム
３１０    処理対象設定部
３２０    金属資源売却益算出部
３３０    コスト算出部
３４０    判定部
３５０    表示部
４００    リサイクル判定システム
４１０    処理対象設定部
４２０    金属資源売却益算出部
４３０    コスト算出部
４４０    判定部
４５０    表示部
４５１    表示画面
４６０    金属資源データベース
４６０＿１，４６０＿２，４６０＿３，４６０＿４    階層
４７０    リサイクル処理料データベース
４８０    通信網
４９０    金属取引所
【図１】
2010250626.tif 000003
【図２】
2010250626.tif 000004
【図３】
2010250626.tif 000005
【図４】
2010250626.tif 000006
【図５】
2010250626.tif 000007
【図６】
2010250626.tif 000008
【図７】
2010250626.tif 000009
【図８】
2010250626.tif 000010
【図９】
2010250626.tif 000011